(57)【特許請求の範囲】
【請求項１】
端末とピア端末との間でセッションを開始する段階と、
前記セッションにおいて送信された情報がトリガ条件を満たすかどうかを検出する段階と、
前記送信された情報が前記トリガ条件を満たす場合、画像を取得し、前記画像を前記ピア端末に送信する段階と、
を備え、前記セッションにおいて送信された前記情報は、音声情報を含み、
前記セッションにおいて送信された前記情報が前記トリガ条件を満たすことを検出する前記段階は、
前記音声情報における話速が第１閾値より大きい又はそれに等しいことを検出する段階、前記音声情報における話速が第２閾値より小さい又はそれに等しいことを検出する段階、前記音声情報におけるイントネーションが第３閾値より大きい又はそれに等しいことを検出する段階、又は、前記音声情報におけるイントネーションが第４閾値より小さい又はそれに等しいことを検出する段階を有する、
情報送信のための方法。
【請求項２】
画像を取得する前記段階は、顔文字画像を取得する段階を有する、請求項１に記載の方法。
【請求項３】
端末とピア端末との間でセッションを開始する段階と、
前記セッションにおいて送信された情報がトリガ条件を満たすかどうかを検出する段階と、
前記送信された情報が前記トリガ条件を満たす場合、画像を取得し、前記画像を前記ピア端末に送信する段階と、
を備え、前記セッションにおいて送信された前記情報は、テキスト情報又は音声情報を含み、
画像を取得する前記段階は、
ユーザの現在の表情を取り込む段階と、
前記表情に応じた前記画像を取得する段階と
を含む、
情報送信のための方法。
【請求項４】
前記セッションにおいて送信された前記情報が前記トリガ条件を満たすことを検出する前記段階は、
前記テキスト情報においてキーワードを検出する段階、又は、前記音声情報においてキーワードを検出する段階を有し、
画像を取得する前記段階は、顔文字画像を取得する段階を有し、
顔文字画像を取得する前記段階は、
前記表情に応じた顔文字画像を取得する段階を含む、
請求項３に記載の方法。
【請求項５】
端末とピア端末との間でセッションを開始する段階と、
前記セッションにおいて送信された情報がトリガ条件を満たすかどうかを検出する段階と、
前記送信された情報が前記トリガ条件を満たす場合、画像を取得し、前記画像を前記ピア端末に送信する段階と、
を備え、前記セッションにおいて送信された前記情報は、テキスト情報又は音声情報を含み、
画像を取得する前記段階は、
温度、湿度、又は風力である環境パラメータを取得する段階と、
前記環境パラメータに応じた環境状況を取得する段階と、
前記環境状況に応じた前記画像を取得する段階と
を含む、
情報送信のための方法。
【請求項６】
端末とピア端末との間でセッションを開始する段階と、
前記セッションにおいて送信された情報がトリガ条件を満たすかどうかを検出する段階と、
前記送信された情報が前記トリガ条件を満たす場合、画像を取得し、前記画像を前記ピア端末に送信する段階と、
を備え、前記セッションにおいて送信された前記情報は、テキスト情報又は音声情報を含み、
画像を取得する前記段階は、
ユーザの現在の地理的位置を取得する段階と、
前記地理的位置に応じた天候状況を取得する段階と、
前記天候状況に応じた前記画像を取得する段階と
を含む、
情報送信のための方法。
【請求項７】
前記セッションにおいて送信された前記情報が前記トリガ条件を満たすことを検出する前記段階は、
前記テキスト情報においてキーワードを検出する段階、又は、前記音声情報においてキーワードを検出する段階を有し、
画像を取得する前記段階は、前記画像として環境背景画像を取得する段階を有する、請求項５または６に記載の方法。
【請求項８】
前記表情に応じた顔文字画像を取得する前記段階は、
前記表情に対応する感情を分析する段階と、
前記感情に対応する漫画形態の顔文字画像を取得する、又は、前記感情に対応する顔の特徴を前記感情に応じて生成し、前記顔の特徴を予め設定された顔画像に追加して顔文字画像を取得する段階と
を含む、請求項４に記載の方法。
【請求項９】
前記送信された情報がテキスト情報である場合、画像を取得する前記段階の後、
前記セッションにおいて前記テキスト情報と前記画像とを結合する段階を更に備える請求項７に記載の方法。
【請求項１０】
前記テキスト情報と前記画像とを結合する前記段階は、
前記セッションにおいて前記テキスト情報を表示し、前記セッションの背景として前記環境背景画像を使用する段階を有する、請求項９に記載の方法。
【請求項１１】
端末とピア端末との間でセッションを開始するセッション開始ユニットと、
前記セッションにおいて送信された情報がトリガ条件を満たすかどうかを検出する検出ユニットと、
前記情報が前記トリガ条件を満たす場合、画像を取得し、前記画像を前記ピア端末に送信する画像取得ユニットと、
を備え、前記セッションにおいて送信された前記情報は、音声情報を含み、
前記セッションにおいて送信された前記情報が前記トリガ条件を満たすことを検出することは、
前記音声情報における話速が第１閾値より大きい又はそれに等しいことを検出すること、前記音声情報における話速が第２閾値より小さい又はそれに等しいことを検出すること、前記音声情報におけるイントネーションが第３閾値より大きい又はそれに等しいことを検出すること、又は、前記音声情報におけるイントネーションが第４閾値より小さい又はそれに等しいことを検出することを有する、
情報送信のための装置。
【請求項１２】
端末とピア端末との間でセッションを開始するセッション開始ユニットと、
前記セッションにおいて送信された情報がトリガ条件を満たすかどうかを検出する検出ユニットと、
前記情報が前記トリガ条件を満たす場合、画像を取得し、前記画像を前記ピア端末に送信する画像取得ユニットと、
を備え、前記セッションにおいて送信された前記情報は、テキスト情報又は音声情報を含み、
前記画像取得ユニットは、
ユーザの現在の表情を取り込み、
前記表情に応じた前記画像を取得する、
情報送信のための装置。
【請求項１３】
端末とピア端末との間でセッションを開始するセッション開始ユニットと、
前記セッションにおいて送信された情報がトリガ条件を満たすかどうかを検出する検出ユニットと、
前記情報が前記トリガ条件を満たす場合、画像を取得し、前記画像を前記ピア端末に送信する画像取得ユニットと、
を備え、前記セッションにおいて送信された前記情報は、テキスト情報又は音声情報を含み、
前記画像取得ユニットは、
温度、湿度、又は風力である環境パラメータを取得し、
前記環境パラメータに応じた環境状況を取得し、
前記環境状況に応じた前記画像を取得する、
情報送信のための装置。
【請求項１４】
端末とピア端末との間でセッションを開始するセッション開始ユニットと、
前記セッションにおいて送信された情報がトリガ条件を満たすかどうかを検出する検出ユニットと、
前記情報が前記トリガ条件を満たす場合、画像を取得し、前記画像を前記ピア端末に送信する画像取得ユニットと、
を備え、前記セッションにおいて送信された前記情報は、テキスト情報又は音声情報を含み、
前記画像取得ユニットは、
ユーザの現在の地理的位置を取得し、
前記地理的位置に応じた天候状況を取得し、
前記天候状況に応じた前記画像を取得する、
情報送信のための装置。
【請求項１５】
前記画像取得ユニットは、顔文字画像を取得する、請求項１２に記載の装置。
【請求項１６】
前記セッションにおいて送信された前記情報が前記トリガ条件を満たすことを検出することは、前記テキスト情報においてキーワードを検出すること、又は、前記音声情報においてキーワードを検出することを含み、
前記画像取得ユニットは、環境背景画像を取得する、請求項１３または１４に記載の装置。
【請求項１７】
前記画像取得ユニットは、顔文字画像を取得する第１の画像取得サブユニットを有し、
前記第１の画像取得サブユニットは、前記ユーザの前記現在の表情を取り込み、
前記第１の画像取得サブユニットは、前記表情に応じた前記顔文字画像を取得する、請求項１５に記載の装置。
【発明の詳細な説明】
【技術分野】
【０００１】
本発明は通信分野に関し、特に、情報送信方法及び送信装置に関する。
【背景技術】
【０００２】
社会の発展により、人と人との間、人とモバイルデバイスとの間、及び人とコンピュータとの間でのやり取りが増えてきている。人と人との間、人とモバイルデバイスとの間、及び人とコンピュータとの間でのやり取りは、一般的にセッション形態で実行される。セッションは、途切れのない一連の要求及び応答である。セッションは、例えば、音声情報、テキスト情報と画像と情報といった複数のタイプの情報を含む。単一情報送信方式が最もよく使用される送信方式である。単一情報送信方式は、操作が容易であり、システム性能に対する要求が比較的低い。しかしながら、単一チャネル送信方式で送信された情報は比較的単調であり、ユーザの思考を総合的かつ正確に伝達することはできない。例えば、ユーザがチャットツール又はソーシャルツールを使用してチャットを行う場合、ユーザは一般的にテキストを使用してチャットを行うが、テキストだけではユーザの感情を総合的かつ正確に伝達することはできない。
【０００３】
マルチ情報送信方式は単一情報送信方式の欠点をある程度克服するが、ユーザは、１つの情報を使用する場合に他の情報を手動で挿入する必要があり、それは操作が煩わしい。例えば、ユーザは、テキストチャットの間に顔文字を追加する。従来技術に従えば、まずユーザは顔文字ライブラリで適切な顔文字画像を手動で検索し、次に、チャットセッションに顔文字画像を追加する必要がある。顔文字ライブラリは限られた数量の顔文字しか有さないので、ユーザは、ユーザの気分を伝達する適切な顔文字画像を発見できない可能性が高い。ユーザが、いくつかの景勝地、食べ物、天候、ユーザが滞在している環境等について話す場合、ユーザはまた、これらを他のグループにリアルタイムで示すことができない。既存のマルチチャネル対話方式は操作が煩わしく、情報転送効率は比較的低いということが分かる。
【発明の概要】
【０００４】
本発明の複数の実施形態は、情報送信効率を向上させ得る送信方法を提供する。
【０００５】
上述の技術的課題を解消すべく、本発明の複数の実施形態は以下の技術的解決手段を開示する。
【０００６】
第１の態様に従い、情報送信方法が提供される。当該方法は、
端末とピア端末との間でセッションを開始する段階と、
セッションにおいて送信された情報がトリガ条件を満たすかどうかを検出する段階と、
情報がトリガ条件を満たす場合、画像を取得し、ピア端末に画像を送信する段階とを含む。セッションにおいて送信された当該情報は、テキスト情報又は音声情報を含む。
【０００７】
第１の態様を参照して、第１の態様の第１の可能な実施例において、セッションにおいて送信された情報がトリガ条件を満たすことを検出する段階は、
音声情報における話速が第１閾値より大きい又はそれに等しいことを検出する段階、又は、音声情報における話速が第２閾値より小さい又はそれに等しいことを検出する段階、又は、音声情報におけるイントネーションが第３閾値より大きい又はそれに等しいことを検出する段階、又は、音声情報におけるイントネーションが第４閾値より小さい又はそれに等しいことを検出する段階を含み、
画像を取得する段階は、顔文字画像を取得する段階を含む。
【０００８】
第１の態様を参照して、第１の態様の第２の可能な実施例において、セッションにおいて送信された情報がトリガ条件を満たすことを検出する段階は、テキスト情報においてキーワードを検出する段階、又は、音声情報においてキーワードを検出する段階を含み、
画像を取得する段階は、顔文字画像を取得する段階、又は、キーワードに対応する画像を取得する段階、又は、環境背景画像を取得する段階を含む。
【０００９】
第１の態様の第１の可能な実施例、又は、第１の態様の第２の可能な実施例を参照して、第１の態様の第３の可能な実施例において、顔文字画像を取得する段階が実行される場合、顔文字画像を取得する段階は、
ユーザの現在の表情を取り込む段階と、
表情に応じた顔文字画像を取得する段階とを含む。
【００１０】
第１の態様の第３の可能な実施例を参照して、第１の態様の第４の可能な実施例において、表情に応じた顔文字画像を取得する段階は、
表情に対応する感情を分析する段階と、
感情に対応する漫画形態の顔文字画像を取得する、又は、感情に対応する顔の特徴を感情に応じて生成し、当該顔の特徴を予め設定された顔画像に追加して顔文字画像を取得する段階を含む。
【００１１】
第１の態様の第２の可能な実施例を参照して、第１の態様の第５の可能な実施例において、キーワードに対応する画像を取得する段階が実行される場合、キーワードに対応する画像を取得する段階は、
キーワードに応じた画像を検索する段階と、
見つけ出された画像に応じて、キーワードに対応する画像を取得する段階とを含む。
【００１２】
第１の態様の第２の可能な実施例を参照して、第１の態様の第６の可能な実施例において、環境背景画像を取得する段階が実行される場合、環境背景画像を取得する段階は、
温度、湿度、又は風力である環境パラメータを取得する段階と、
環境パラメータに応じた環境状況を取得する段階と、
環境状況に応じた環境背景画像を取得する段階とを含む。
【００１３】
第１の態様の第２の可能な実施例を参照して、第１の態様の第７の可能な実施例において、環境背景画像を取得する段階が実行される場合、環境背景画像を取得する段階は、
ユーザの現在の地理的位置を取得する段階と、
地理的位置に応じた天候状況を取得する段階と、
天候状況に応じた環境背景画像を取得する段階とを含む。
【００１４】
第１の態様の第２の可能な実施例を参照して、第１の態様の第８の可能な実施例において、送信された情報がテキスト情報である場合、画像を取得する段階の後、当該方法は更に、
セッションにおいてテキスト情報と画像とを結合する段階を含む。
【００１５】
第１の態様の第８の可能な実施例を参照して、第１の態様の第９の可能な実施例において、テキスト情報と画像とを結合する段階は、
キーワードに対応する画像又は顔文字画像をテキスト情報に挿入する段階を含む。
【００１６】
第１の態様の第８の可能な実施例を参照して、第１の態様の第１０の可能な実施例において、テキスト情報と画像とを結合する段階は、
セッションにおいてテキスト情報を表示し、セッションの背景として環境背景画像を使用する段階を含む。
【００１７】
第２の態様に従って、情報送信装置が提供される。当該装置は、
端末とピア端末との間でセッションを開始するよう構成されたセッション開始ユニットと、
セッションにおいて送信された情報がトリガ条件を満たすかどうかを検出するよう構成された検出ユニットと、
当該情報がトリガ条件を満たす場合、画像を取得し、ピア端末に当該画像を送信するよう構成された画像取得ユニットとを含み、セッションにおいて送信された情報は、テキスト情報又は音声情報を含む。
【００１８】
第２の態様を参照して、第２の態様の第１の可能な実施例において、セッションにおいて送信された情報がトリガ条件を満たすことを検出することは、
音声情報における話速が第１閾値より大きい又はそれに等しいことを検出すること、又は、音声情報における話速が第２閾値より小さい又はそれに等しいことを検出すること、又は、音声情報におけるイントネーションが第３閾値より大きい又はそれに等しいことを検出すること、又は、音声情報におけるイントネーションが第４閾値より小さい又はそれに等しいことを検出することを含み、
画像取得ユニットは更に、ユーザの表情を取り込むよう構成されている。
【００１９】
第２の態様を参照して、第２の態様の第２の可能な実施例において、セッションにおいて送信された情報がトリガ条件を満たすことを検出することは、テキスト情報においてキーワードを検出すること、又は、音声情報においてキーワードを検出することを含み、
画像取得ユニットは更に、顔文字画像を取得するよう構成されている、又は、キーワードに対応する画像を取得するよう構成されている、又は、環境背景画像を取得するよう構成されている。
【００２０】
第２の態様の第１の可能な実施例、又は、第２の態様の第２の可能な実施例を参照して、第２の態様の第３の可能な実施例において、顔文字画像を取得するよう構成された場合、画像取得ユニットは、顔文字画像を取得するよう構成された第１の画像取得サブユニットを含み、
第１の画像取得サブユニットは更に、ユーザの現在の表情を取り込むよう構成され、
第１の画像取得サブユニットは更に、表情に応じた顔文字画像を取得するよう構成されている。
【００２１】
第２の態様の第３の可能な実施例を参照して、第２の態様の第４の可能な実施例において、第１の画像取得サブユニットは更に、表情に対応する感情を分析するよう構成され、
第１の画像取得サブユニットは更に、感情に対応する漫画形態の顔文字画像を取得するよう構成されている、又は、感情に対応する顔の特徴を感情に応じて生成し、予め設定された顔画像に顔の特徴を追加して顔文字画像取得するよう構成されている。
【００２２】
第２の態様の第２の可能な実施例を参照して、第２の態様の第５の可能な実施例において、キーワードに対応する画像を取得するよう構成された場合、画像取得ユニットは、キーワードに応じた画像を検索するよう構成された第２の画像取得サブユニットを含み、第２の画像取得サブユニットは更に、見つけ出された画像に応じて、キーワードに対応する画像を取得するよう構成されている。
【００２３】
第２の態様の第２の可能な実施例を参照して、第２の態様の第６の可能な実施例において、環境背景画像を取得するよう構成された場合、画像取得ユニットは更に、温度、湿度、又は風力である環境パラメータを取得するよう構成された第３の画像取得サブユニットを含み、第３の画像取得サブユニットは更に、環境パラメータに応じた環境状況を取得するよう構成され、
第３の画像取得サブユニットは更に、環境状況に応じた環境背景画像を取得するよう構成されている。
【００２４】
第２の態様の第２の可能な実施例を参照して、第２の態様の第７の可能な実施例において、環境背景画像を取得するよう構成された場合、画像取得ユニットは更に、ユーザの地理的位置を取得するよう構成された第４の画像取得サブユニットを含み、
第４の画像取得サブユニットは更に、地理的位置に応じた天候状況を取得するよう構成され、
第４の画像取得サブユニットは更に、天候状況に応じた環境背景画像を取得するよう構成されている。
【００２５】
第２の態様の第２の可能な実施例を参照して、第２の態様の第８の可能な実施例において、当該装置は更に、送信された情報がテキスト情報である場合、画像取得後、セッションにおいてテキスト情報と画像とを結合するよう構成された結合ユニットを含む。
【００２６】
第２の態様の第８の可能な実施例を参照して、第２の態様の第９の可能な実施例において、結合ユニットは、キーワードに対応する画像をテキスト情報に挿入するよう構成された第１の結合サブユニットを含む。
【００２７】
第２の態様の第８の可能な実施例を参照して、第２の態様の第１０の可能な実施例において、結合ユニットは更に、セッションにおいてテキスト情報を表示し、セッションの背景として環境背景画像を使用するよう構成された第２の結合サブユニットを含む。
【００２８】
第３の態様に従って、情報送信デバイスが提供される。当該デバイスは、
端末とピア端末との間でセッションを開始するよう構成され、
更に、セッションにおいて送信された情報がトリガ条件を満たすかどうかを検出するよう構成され、
更に、当該情報がトリガ条件を満たす場合、画像を取得するよう構成されたプロセッサと、
画像をピア端末に送信するよう構成された送信機とを含む。
セッションにおいて送信された当該情報は、テキスト情報又は音声情報を含む。
【００２９】
第３の態様を参照して、第３の態様の第１の可能な実施例において、セッションにおいて送信された情報がトリガ条件を満たすことを検出することは、
音声情報における話速が第１閾値より大きい又はそれに等しいことを検出すること、又は、音声情報における話速が第２閾値より小さい又はそれに等しいことを検出すること、又は、音声情報におけるイントネーションが第３閾値より大きい又はそれに等しいことを検出すること、又は、音声情報におけるイントネーションが第４閾値より小さい又はそれに等しいことを検出することを含み、
プロセッサは更に、顔文字画像を取得するよう構成されている。
【００３０】
第３の態様を参照して、第３の態様の第２の可能な実施例において、セッションにおいて送信された情報がトリガ条件を満たすことを検出することは、テキスト情報においてキーワードを検出すること、又は音声情報においてキーワードを検出することを含み、
プロセッサは更に、顔文字画像を取得する、又はキーワードに対応する画像を取得する、又は、環境背景画像を取得するよう構成されている。
【００３１】
第３の態様の第１の可能な実施例、又は第３の態様の第２の可能な実施例を参照して、第３の態様の第３の可能な実施例において、顔文字画像の取得が実行される場合、デバイスは更に、プロセッサの制御のもと、ユーザの表情を取り込むよう構成されたカメラを含み、
プロセッサは更に、キーワードに対応する画像を表情に応じて取得するよう構成されている。
【００３２】
第３の態様の第２の可能な実施例を参照して、第３の態様の第４の可能な実施例において、プロセッサは更に、表情に対応する感情を分析するよう構成され、
プロセッサは更に、感情に対応する漫画形態の顔文字画像を取得する、又は、感情に対応する顔の特徴を感情に応じて生成し、予め設定された顔画像に顔の特徴を追加して顔文字画像を取得するよう構成されている。
【００３３】
第３の態様の第２の可能な実施例を参照して、第３の態様の第５の可能な実施例において、キーワードに対応する画像の取得が実行される場合、プロセッサは更に、キーワードに応じた画像を検索するよう構成され、
プロセッサは更に、見つけ出された画像に応じてキーワードに対応する画像を取得するよう構成されている。
【００３４】
第３の態様の第２の可能な実施例を参照して、第３の態様の第６の可能な実施例において、環境背景画像の取得が実行される場合、プロセッサは更に、温度、湿度、又は風力である環境パラメータを取得するよう構成され、
プロセッサは更に、環境パラメータに応じた環境状況を取得するよう構成され、
プロセッサは更に、環境状況に応じた環境背景画像を取得するよう構成されている。
【００３５】
第３の態様の第２の可能な実施例を参照して、第３の態様の第７の可能な実施例において、環境背景画像の取得が実行される場合、プロセッサは更に、ユーザの地理的位置を取得するよう構成され、
プロセッサは更に、地理的位置に応じた天候状況を取得するよう構成され、
プロセッサは更に、天候状況に応じた環境背景画像を取得するよう構成されている。
【００３６】
第３の態様の第２の可能な実施例を参照して、第３の態様の第８の可能な実施例において、送信された情報がテキスト情報である場合、プロセッサは更に、画像取得後、セッションにおいてテキスト情報と画像とを結合するよう構成されている。
【００３７】
第３の態様の第８の可能な実施例を参照して、第３の態様の第９の可能な実施例において、プロセッサは更に、キーワードに対応する画像をテキスト情報に挿入するよう構成されている。
【００３８】
第３の態様の第８の可能な実施例を参照して、第３の態様の第１０の可能な実施例において、プロセッサは更に、セッションにおいてテキスト情報を表示し、セッションの背景として環境背景画像を使用するよう構成されている。
【００３９】
本発明の複数の実施形態は、情報送信方法を開示する。当該情報送信方法において、端末とピア端末との間のセッション開始後、セッションにおいて送信された情報がトリガ条件を満たすかどうかが検出され、当該情報がトリガ条件を満たす場合、画像が取得され、画像がピア端末に送信される。セッションにおいて送信された情報は、テキスト情報又は音声情報を含む。本発明の方法に従って、手動操作することなく画像が自動的に取得され得る。このことは、ユーザの感情をより良く伝達し、情報送信効率を向上させ得る。
【図面の簡単な説明】
【００４０】
本発明の複数の実施形態における、又は従来技術における技術的解決手段をより明確に説明すべく、実施形態の説明に必要な添付の図面が以下で簡潔に説明される。明らかに、以下の説明における添付の図面は、単に本発明のいくつかの実施形態を示しているに過ぎず、当業者ならば、創造的な努力なしに、これらの添付の図面から他の図面を更に導き出し得る。
【００４１】
【図１】本発明の一実施形態による情報送信方法のフローチャートである。
【００４２】
【図２】本発明の一実施形態による情報送信方法のフローチャートである。
【００４３】
【図３】本発明の一実施形態による情報送信方法のフローチャートである。
【００４４】
【図４】本発明の一実施形態による情報送信方法のアプリケーションシナリオの概略図である。
【００４５】
【図５】本発明の一実施形態による情報送信装置の概略構造図である。
【発明を実施するための形態】
【００４６】
下記の本発明の複数の実施形態が情報送信方法を提供する。これにより、情報送信効率を向上させ得る。
【００４７】
本発明の複数の実施形態の添付の図面を参照して、以下で本発明の複数の実施形態における技術的解決手段が明確かつ完全に説明される。明らかに、説明される実施形態は、単に本発明の複数の実施形態の一部に過ぎず、全てではない。創造的な努力なしに、本発明の複数の実施形態に基づいて当業者によって得られる他の全ての実施形態は、本発明の保護範囲内に含まれるものとする。
【００４８】
図１は本発明の一実施形態による情報送信方法のフローチャートである。図１に示されるように、本発明のこの実施形態は情報送信方法を提供する。当該方法は以下を含む。
【００４９】
段階１０１：端末とピア端末との間でセッションを開始する。
【００５０】
段階１０２：セッションにおいて送信された情報がトリガ条件を満たすかどうかを検出する。
【００５１】
段階１０３：当該情報がトリガ条件を満たす場合、画像を取得し、当該画像をピア端末に送信する。セッションにおいて送信された情報は、テキスト情報又は音声情報を含む。
【００５２】
この実施形態における情報送信方法に従えば、トリガ条件に従って画像が自動的に取得される。ここで、ユーザは画像を手動で取得する必要がなく、このことは操作が容易であり、情報送信効率を向上させ得る。
【００５３】
本発明の別の実施形態において、セッションにおいて送信された情報がトリガ条件を満たすことを検出する段階は、
音声情報における話速が第１閾値より大きい又はそれに等しいことを検出する段階、又は、音声情報における話速が第２閾値より小さい又はそれに等しいことを検出する段階、又は、音声情報におけるイントネーションが第３閾値より大きい又はそれに等しいことを検出する段階、又は、音声情報におけるイントネーションが第４閾値より小さい又はそれに等しいことを検出する段階を含み、画像を取得する段階は、顔文字画像を取得する段階を含む。
【００５４】
セッションにおいて送信された情報がトリガ条件を満たすことを検出する段階は、テキスト情報においてキーワードを検出する段階、又は、音声情報においてキーワードを検出する段階を含み、画像を取得する段階は、顔文字画像を取得する段階、又は、キーワードに対応する画像を取得する段階、又は、環境背景画像を取得する段階を含む。
【００５５】
キーワードは名詞、形容詞、動詞、又は形式上の不変化詞（ｍｏｄａｌ  ｐａｒｔｉｃｌｅ）であってよい。
【００５６】
上述の実施形態において、顔文字画像を取得する段階は、
ユーザの現在の表情を取り込む段階と、
表情に応じた顔文字画像を取得する段階とを含む。
【００５７】
表情に応じた顔文字画像を取得する段階は、
表情に対応する感情を分析する段階と、
感情に対応する漫画形態の顔文字画像を取得する、又は、感情に対応する顔の特徴を感情に応じて生成し、予め設定された顔画像に顔の特徴を追加して顔文字画像を取得する段階とを含む。
【００５８】
表情に対応する感情を分析する段階は、主に、顔の主な特徴に応じて実行される。顔の主な特徴としては、目、唇、額等の特徴が挙げられるが、それらに限定されない。例えば、口角を上げることは楽しい感情を示していると考えられ、額にしわを寄せることは苛立たしい感情を示していると考えられる。
【００５９】
感情的に楽しい場合、「楽しい」に対応する漫画形態の顔文字画像が取得されてよい。予め設定された顔画像に、「楽しい」に対応する顔の特徴が追加されてよい。予め設定された顔画像は、セッションを開始した人の顔画像であってよい、又は、別の人の予め設定された顔画像であってよい。
【００６０】
ユーザが音声チャットを行う場合、顔文字画像はセッション内で対応するユーザインタフェースに表示されてよい、又は、顔文字画像は別のセッション内で表示されてよい。
【００６１】
顔文字画像は、音声情報における話速、又は音声のイントネーション、又はキーワードに応じて取得され、これにより、音声チャットを行う場合、ユーザは顔文字画像も見ることができる。このことは、ユーザの個人的感情をより良く伝達し、情報送信効率を向上させ得る。
【００６２】
画像を取得する段階は、キーワードに対応する画像を取得する段階を含む。
【００６３】
キーワードに対応する画像を取得する段階は、複数の方式で実行されてよく、本発明の実施形態における、キーワードに対応する画像を取得する段階は、
キーワードに応じた画像を検索する段階と、
見つけ出された画像に応じてキーワードに対応する画像を取得する段階とを含む。
【００６４】
この実施形態において、キーワードは、「万里の長城」若しくは「頤和園」などの景勝地の名称、又は、「凧」若しくは「ケーキ」などの物品の名称であってよい。キーワードに応じた画像を検索する段階は、ウェブサーバを検索する段階であってよい、又は、ローカル画像ライブラリを検索する段階であってよい。見つけ出された画像のサイズは、比較的大きいことがあり、画像は拡大・縮小又はカットを必要とする可能性が高く、ズーム比及びカットされるサイズは予め設定されてよい、又は、画像はセッションのサイズに自動的に適合してよい。
【００６５】
本発明の実施形態において、環境背景画像の取得が実行される場合、環境背景画像を取得する段階は、
温度、湿度、又は風力である環境パラメータを取得する段階と、
環境パラメータに応じた環境状況を取得する段階と、
環境状況に応じた環境背景画像を取得する段階とを含む。
【００６６】
本発明の別の実施形態において、環境背景画像を取得する段階は、
ユーザの現在の地理的位置を取得する段階と、
地理的位置に応じた天候状況を取得する段階と、
天候状況に応じた環境背景画像を取得する段階とを含む。
【００６７】
送信された情報がテキスト情報である場合、画像を取得する段階の後、当該方法は更に、  セッションにおいてテキスト情報と画像とを結合する段階を含む。
【００６８】
セッションにおいてテキスト情報と画像とを結合する段階は、
キーワードに対応する画像又は顔文字画像をテキスト情報に挿入する段階を含む。
【００６９】
この実施形態において、キーワードに対応する画像は、テキスト情報において対応するキーワードの後に挿入される、又は、テキスト情報において対応するキーワードの前に挿入されてよい。
【００７０】
セッションにおいてテキスト情報と画像とを結合する段階は、
セッションにおいてテキスト情報を表示し、セッションの背景として環境背景画像を使用する段階を含む。
【００７１】
本発明のこの実施形態における方法に従えば、テキストチャネルにおけるキーワードに応じて、手動操作することなくキーワードに対応する画像が自動的に取得される。このことは、操作が簡便であり、ユーザの感情をより良く伝達し、ユーザにより良い使用経験を提供し、情報送信効率を向上させ得る。
【００７２】
図２は、本発明の一実施形態による送信方法のフローチャートである。図２に示される方法において、セッションにおいて送信された情報は、テキスト情報である。図２に示されるように、当該方法は、以下を含む。
【００７３】
段階２０１：端末とピア端末との間でセッションを開始し、セッションにおいて送信されたテキスト情報を検出する。
【００７４】
段階２０２：テキスト情報にキーワードが存在するかどうかを決定し、存在する場合、段階２０３を実行する、又は、存在しない場合、段階２０１に戻る。
【００７５】
段階２０３：キーワードに対応する画像をキーワードに応じて取得する。
【００７６】
段階２０４：テキスト情報において、キーワードに対応する画像を対応するキーワードの後に挿入する。
【００７７】
本発明のこの実施形態における方法に従えば、セッションにおけるテキスト情報内のキーワードに応じて、手動操作することなく、キーワードに対応する画像が自動的に取得される、又は、環境背景画像が取得される。このことは、操作が簡便であり、ユーザの感情をより良く伝達し、ユーザにより良い使用経験を提供し、情報送信効率を向上させ得る。
【００７８】
図３は、本発明の一実施形態による送信方法のフローチャートである。図３に示される方法において、セッションにおいて送信された情報はテキスト情報である。図３に示されるように、当該方法は以下を含む。
【００７９】
段階３０１：セッションにおいて送信されたテキスト情報を検出する。
【００８０】
段階３０２：テキスト情報においてキーワードが存在するかどうかを決定し、存在する場合、段階３０３を実行する、又は存在しない場合、段階３０１に戻る。
【００８１】
段階３０３：環境背景画像を取得する。
【００８２】
段階３０４：セッションにおいてテキスト情報を表示し、セッションの背景として環境背景画像を使用する。
【００８３】
本発明のこの実施形態における方法に従えば、手動操作することなくテキストチャネルにおけるキーワードに応じた環境背景画像が自動的に取得される。このことは、操作が簡便であり、ユーザの感情をより良く伝達し、ユーザにより良い使用経験を提供し、情報送信効率を向上させ得る。
【００８４】
図４は、本発明の一実施形態による情報送信方法のアプリケーションシナリオの概略図である。図４に示されるように、４０１はセッションのユーザインタフェースである。図４に示されるアプリケーションシナリオにおいて、セッションにおいて送信された情報はテキスト情報である。
【００８５】
画像の取得はバックグラウンド処理であり、ユーザには見えない。セッションのユーザインタフェースにおいて表示されるテキスト及び画像はユーザに見えている。
【００８６】
テキストを使用してユーザがチャットを行う場合、テキストはセッションにおいて表示される。図４では、ユーザのテキストチャットの内容が小吹き出し方式で表示されている。
【００８７】
現在ユーザがチャットを行っている場合、テキストにおいて「象山」のキーワードが検出された後、検索が開始され、象山の写真が見つけ出される。カット及び圧縮の後、象山に対応する画像が取得され、テキストにおいて「象山」の単語の後に挿入される。「楽しい」が検出された後、ユーザの現在の表情がカメラによって取り込まれる。「楽しい」に対応する画像が表情に応じて取得され、その画像がテキストにおいて「楽しい」の単語の後に挿入される。
【００８８】
チャットは続く。チャット中に、他方のユーザが「苛立たしい」という単語を述べる。「苛立たしい」が検出された後、ユーザの現在の表情がカメラによって取り込まれる。現在の表情に応じて対応する動作が分析される。ユーザは眉をひそめる。ユーザの現在の感情は「苛立たしい」であると分析され、「苛立たしい」に対応する漫画形態の顔文字が検索され、ユーザの顔文字画像としてその漫画の顔文字が使用される。その顔文字画像はテキストにおいて「苛立たしい」の単語の後に挿入される。セッションのユーザインタフェースは、最終的に図４に示されるように表示される。
【００８９】
本発明のこの実施形態における方法に従えば、手動操作することなく画像が取得される。このことは、操作が簡便であり、ユーザの感情をより良く伝達し、ユーザにより良い使用経験を提供し、情報送信効率を向上させ得る。
【００９０】
上述の方法の実施形態に対応して、本発明の実施形態は更に送信装置を提供する。図５は、本発明の一実施形態による情報送信装置の概略構造図である。図５に示されるように、装置は、
端末とピア端末との間でセッションを開始するよう構成されたセッション開始ユニット５０１と、
セッションにおいて送信された情報がトリガ条件を満たすかどうかを検出するよう構成された検出ユニット５０２と、
情報がトリガ条件を満たす場合、画像を取得し、当該画像をピア端末に送信するよう構成された画像取得ユニット５０３とを含む。セッションにおいて送信された当該情報は、テキスト情報又は音声情報を含む。
【００９１】
本発明のこの実施形態の送信装置に従えば、操作は簡便であり、ユーザにより良い使用経験が提供され、情報送信効率が向上される。
【００９２】
セッションにおいて送信された情報がトリガ条件を満たすことを検出ユニット５０２が検出することは、
音声情報における話速が第１閾値より大きい又はそれに等しいことを検出すること、又は、音声情報における話速が第２閾値より小さい又はそれに等しいことを検出すること、又は、音声情報におけるイントネーションが第３閾値より大きい又はそれに等しいことを検出すること、又は、音声情報におけるイントネーションが第４閾値より小さい又はそれに等しいことを検出することを含み、
画像取得ユニット５０３は、ユーザの表情を取り込むよう構成された第１の取得サブユニットを含む。
【００９３】
セッションにおいて送信された情報がトリガ条件を満たすことを検出ユニット５０２が検出することは、テキスト情報においてキーワードを検出すること、又は、音声情報においてキーワードを検出することを含み、
画像取得ユニット５０３は更に、顔文字画像を取得するよう構成されている、又は、キーワードに対応する画像を取得するよう構成されている、又は、環境背景画像を取得するよう構成されている。
【００９４】
顔文字画像を取得するよう構成された場合、画像取得ユニット５０３は、顔文字画像を取得するよう構成された第１の画像取得サブユニットを含み、
第１の画像取得サブユニットは更に、ユーザの現在の表情を取り込むよう構成され、
第１の画像取得サブユニットは更に、表情に応じた顔文字画像を取得するよう構成されている。
【００９５】
画像取得ユニット５０３は更に、環境背景画像を取得するよう構成された第３の画像取得サブユニットを含む。
【００９６】
第１の画像取得サブユニットは更に、表情に対応する感情を分析するよう構成され、
第１の画像取得サブユニットは更に、その感情に対応する漫画形態の顔文字画像を取得するよう構成されている、又は、その感情に対応する顔の特徴を感情に応じて生成し、予め設定された顔画像に顔の特徴を追加して顔文字画像を取得するよう構成されている。
【００９７】
画像取得ユニット５０３がキーワードに対応する画像を取得するよう構成されている場合、画像取得ユニットは更に、キーワードに応じた画像を検索するよう構成された第２の画像取得サブユニットを含む。第２の画像取得サブユニットは更に、見つけ出された画像に応じて、キーワードに対応する画像を取得するよう構成されている。
【００９８】
環境背景画像を取得するよう構成された場合、画像取得ユニット５０３は更に第３の画像取得サブユニットを含む。当該第３の画像取得サブユニットは、温度、湿度、又は風力である環境パラメータを取得するよう構成され、
第３の画像取得サブユニットは更に、環境パラメータに応じた環境状況を取得するよう構成され、
第３の画像取得サブユニットは更に、環境状況に応じた環境背景画像を取得するよう構成されている。
【００９９】
環境背景画像を取得するよう構成された場合、画像取得ユニット５０３は更に、ユーザの地理的位置を取得するよう構成された第４の画像取得サブユニットを含み、
第４の画像取得サブユニットは更に、地理的位置に応じた天候状況を取得するよう構成され、
第４の画像取得サブユニットは更に、天候状況に応じた環境背景画像を取得するよう構成されている。
【０１００】
装置は更に、送信された情報がテキスト情報である場合、画像取得後、セッションにおいてテキスト情報と画像とを結合するよう構成された結合ユニットを含む。
【０１０１】
結合ユニットは、キーワードに対応する画像をテキスト情報に挿入するよう構成された第１の結合サブユニットを含む。
【０１０２】
結合ユニットは更に、セッションにおいてテキスト情報を表示し、セッションの背景として環境背景画像を使用するよう構成された第２の結合サブユニットを含む。
【０１０３】
本発明のこの実施形態の送信装置に従えば、手動操作することなく画像を自動的に取得可能である。このことは、操作が簡便であり、ユーザにより良い使用経験を提供し、情報送信効率を向上させる。
【０１０４】
本発明の実施形態は更に情報送信デバイスを提供する。当該デバイスは、
端末とピア端末との間でセッションを開始するよう構成され、
更に、セッションにおいて送信された情報がトリガ条件を満たすかどうかを検出するよう構成され、
更に、当該情報がトリガ条件を満たす場合、画像を取得するよう構成されたプロセッサと、
ピア端末に当該画像を送信するよう構成された送信機とを含み、
セッションにおいて送信された情報は、テキスト情報又は音声情報を含む。
【０１０５】
セッションにおいて送信された情報がトリガ条件を満たすことを検出することは、
音声情報における話速が第１閾値より大きい又はそれに等しいことを検出すること、又は、音声情報における話速が第２閾値より小さい又はそれに等しいことを検出すること、又は、音声情報におけるイントネーションが第３閾値より大きい又はそれに等しいことを検出すること、又は、音声情報におけるイントネーションが第４閾値より小さい又はそれに等しいことを検出すること、又は、音声情報におけるキーワードを検出することを含み、
プロセッサは更に、顔文字画像を取得するよう構成されている。
【０１０６】
セッションにおいて送信された情報がトリガ条件を満たすことを検出することは、テキスト情報においてキーワードを検出すること、又は、音声情報においてキーワードを検出することを含み、
プロセッサは更に、顔文字画像を取得する、又は、キーワードに対応する画像を取得する、又は、環境背景画像を取得するよう構成されている。
【０１０７】
顔文字画像の取得が実行される場合、デバイスは更に、プロセッサの制御のもと、ユーザの表情を取り込むよう構成されたカメラを含み、
プロセッサは更に、キーワードに対応する画像を表情に応じて取得するよう構成されている。
【０１０８】
プロセッサは更に、表情に対応する感情を分析するよう構成され、
プロセッサは更に、感情に対応する漫画形態の顔文字画像を取得する、又は、感情に対応する顔の特徴を感情に応じて生成し、予め設定された顔画像に顔の特徴を追加して顔文字画像を取得するよう構成されている。
【０１０９】
キーワードに対応する画像の取得が実行される場合、プロセッサは更に、キーワードに応じた画像を検索するよう構成され、
プロセッサは更に、見つけ出された画像に応じてキーワードに対応する画像を取得するよう構成されている。
【０１１０】
環境背景画像の取得が実行される場合、プロセッサは更に、温度、湿度、又は風力である環境パラメータを取得するよう構成され、
プロセッサは更に、環境パラメータに応じた環境状況を取得するよう構成され、
プロセッサは更に、環境状況に応じた環境背景画像を取得するよう構成されている。
【０１１１】
環境背景画像の取得が実行される場合、プロセッサは更に、ユーザの地理的位置を取得するよう構成され、
プロセッサは更に、地理的位置に応じた天候状況を取得するよう構成され、
プロセッサは更に、天候状況に応じた環境背景画像を取得するよう構成されている。
【０１１２】
送信された情報がテキスト情報である場合、プロセッサは更に、画像取得後、セッションにおいてテキスト情報と画像とを結合するよう構成されている。
【０１１３】
プロセッサは更に、キーワードに対応する画像をテキスト情報に挿入するよう構成されている。
【０１１４】
プロセッサは更に、セッションにおいてテキスト情報を表示し、セッションの背景として環境背景画像を使用するよう構成されている。
【０１１５】
本発明のこの実施形態の送信デバイスに従えば、手動操作することなく画像が自動的に取得され得る。このことは、操作が簡便であり、ユーザにより良い使用経験を提供し、情報送信効率を向上させる。
【０１１６】
本発明の複数の実施形態は、情報送信方法、送信装置、及び送信デバイスを開示する。当該方法、装置、及びデバイスにおいて、手動操作することなく画像が自動的に取得され得る。このことは、操作が簡便であり、ユーザにより良い使用経験を提供し、情報送信効率を向上させる。
【０１１７】
本発明の複数の実施形態における技術が、ソフトウェアに加え必要な汎用ハードウェアによって実装され得るが、多くの場合では、前者が好ましいことは当業者ならば明確に理解するであろう。当該汎用ハードウェアとしては、汎用集積回路、汎用ＣＰＵ、汎用メモリ、汎用デバイス等が挙げられ、特定用途向け集積回路、特定用途向けＣＰＵ、特定用途向けメモリ、特定用途向けデバイス等のような特定用途向けハードウェアによって確かに実装され得る。そのような理解に基づき、本質的に又は一部従来技術に寄与する本発明の技術的解決手段は、ソフトウェア製品の形態で実装されてよい。当該ソフトウェア製品は、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ハードディスク、又は光ディスクなどの記憶媒体に格納され、本発明の実施形態又は実施形態のいくつかの部分で説明された方法を実行するよう（パーソナルコンピュータ、サーバ、又はネットワークデバイスであってよい）コンピュータデバイスに指示するための数個の命令を含む。
【０１１８】
本明細書の実施形態は全て進歩的な方式で説明されており、複数の実施形態内の同一又は同様の部分については、これらの実施形態が参照されてよく、各実施形態は他の実施形態との違いに焦点を当てている。特に、システムの実施形態は、基本的に方法の実施形態と類似しているので簡潔に説明されている。関連部分については、方法の実施形態の部分的な説明が参照されてよい。
【０１１９】
上述の説明は本発明の実施例であり、本発明の保護範囲を限定するよう意図されているものではない。本発明の主旨及び原理から逸脱することなく成された何れの変形、同等な置換、及び改善も、本発明の保護範囲内に含まれるものである。
［項目１］
端末とピア端末との間でセッションを開始する段階と、
上記セッションにおいて送信された情報がトリガ条件を満たすかどうかを検出する段階と、
上記送信された情報が上記トリガ条件を満たす場合、画像を取得し、上記画像を上記ピア端末に送信する段階と、
を備え、上記セッションにおいて送信された上記情報は、テキスト情報又は音声情報を含む、情報送信のための方法。
［項目２］
上記セッションにおいて送信された上記情報が上記トリガ条件を満たすことを検出する上記段階は、
上記音声情報における話速が第１閾値より大きい又はそれに等しいことを検出する段階、上記音声情報における話速が第２閾値より小さい又はそれに等しいことを検出する段階、上記音声情報におけるイントネーションが第３閾値より大きい又はそれに等しいことを検出する段階、又は、上記音声情報におけるイントネーションが第４閾値より小さい又はそれに等しいことを検出する段階を有し、
画像を取得する上記段階は、顔文字画像を取得する段階を有する、項目１に記載の方法。
［項目３］
上記セッションにおいて送信された上記情報が上記トリガ条件を満たすことを検出する上記段階は、上記テキスト情報においてキーワードを検出する段階、又は、上記音声情報においてキーワードを検出する段階を有し、
画像を取得する上記段階は、顔文字画像を取得する段階、上記キーワードに対応する画像を取得する段階、又は、環境背景画像を取得する段階を有する、項目１に記載の方法。
［項目４］
顔文字画像を取得する上記段階が実行される場合、顔文字画像を取得する上記段階は、
ユーザの現在の表情を取り込む段階と、
上記表情に応じた顔文字画像を取得する段階と
を含む、項目２又は３に記載の方法。
［項目５］
上記表情に応じた顔文字画像を取得する上記段階は、
上記表情に対応する感情を分析する段階と、
上記感情に対応する漫画形態の顔文字画像を取得する、又は、上記感情に対応する顔の特徴を上記感情に応じて生成し、上記顔の特徴を予め設定された顔画像に追加して顔文字画像を取得する段階と
を含む、項目４に記載の方法。
［項目６］
上記キーワードに対応する画像を取得する上記段階が実行される場合、上記キーワードに対応する画像を取得する上記段階は、
上記キーワードに応じた画像を検索する段階と、
上記キーワードに対応する画像を、見つけ出された上記画像に応じて取得する段階と
を含む、項目３に記載の方法。
［項目７］
環境背景画像を取得する上記段階が実行される場合、環境背景画像を取得する上記段階は、
温度、湿度、又は風力である環境パラメータを取得する段階と、
上記環境パラメータに応じた環境状況を取得する段階と、
上記環境状況に応じた上記環境背景画像を取得する段階と
を含む、項目３に記載の方法。
［項目８］
環境背景画像を取得する上記段階が実行される場合、環境背景画像を取得する上記段階は、
ユーザの現在の地理的位置を取得する段階と、
上記地理的位置に応じた天候状況を取得する段階と、
上記天候状況に応じた上記環境背景画像を取得する段階と
を含む、項目３に記載の方法。
［項目９］
上記送信された情報がテキスト情報である場合、画像を取得する上記段階の後、
上記セッションにおいて上記テキスト情報と上記画像とを結合する段階を更に備える項目３に記載の方法。
［項目１０］
上記セッションにおいて上記テキスト情報と上記画像とを結合する上記段階は、上記キーワードに対応する上記画像又は上記顔文字画像を上記テキスト情報に挿入する段階を有する、項目９に記載の方法。
［項目１１］
上記テキスト情報と上記画像とを結合する上記段階は、
上記セッションにおいて上記テキスト情報を表示し、上記セッションの背景として上記環境背景画像を使用する段階を有する、項目９に記載の方法。
［項目１２］
端末とピア端末との間でセッションを開始するよう構成されたセッション開始ユニットと、
上記セッションにおいて送信された情報がトリガ条件を満たすかどうかを検出するよう構成された検出ユニットと、
上記情報が上記トリガ条件を満たす場合、画像を取得し、上記画像を上記ピア端末に送信するよう構成された画像取得ユニットと、
を備え、上記セッションにおいて送信された上記情報は、テキスト情報又は音声情報を含む、情報送信のための装置。
［項目１３］
上記セッションにおいて送信された上記情報が上記トリガ条件を満たすことを検出することは、
上記音声情報における話速が第１閾値より大きい又はそれに等しいことを検出すること、上記音声情報における話速が第２閾値より小さい又はそれに等しいことを検出すること、上記音声情報におけるイントネーションが第３閾値より大きい又はそれに等しいことを検出すること、又は、上記音声情報におけるイントネーションが第４閾値より小さい又はそれに等しいことを検出することを有し、
上記画像取得ユニットは更に、顔文字画像を取得するよう構成されている、項目１２に記載の装置。
［項目１４］
上記セッションにおいて送信された上記情報が上記トリガ条件を満たすことを検出することは、上記テキスト情報においてキーワードを検出すること、又は、上記音声情報においてキーワードを検出することを含み、
上記画像取得ユニットは更に、顔文字画像を取得するよう構成されている、上記キーワードに対応する画像を取得するよう構成されている、又は、環境背景画像を取得するよう構成されている、項目１２に記載の装置。
［項目１５］
顔文字画像を取得するよう構成された場合、上記画像取得ユニットは、顔文字画像を取得するよう構成された第１の画像取得ユニットを有し、
上記第１の画像取得サブユニットは更に、ユーザの現在の表情を取り込むよう構成され、
上記第１の画像取得サブユニットは更に、上記表情に応じた顔文字画像を取得するよう構成されている、項目１３又は１４に記載の装置。
［項目１６］
上記第１の画像取得サブユニットは更に、上記表情に対応する感情を分析するよう構成され、
上記第１の画像取得サブユニットは更に、上記感情に対応する漫画形態の顔文字画像を取得するよう構成されている、又は、上記感情に対応する顔の特徴を上記感情に応じて生成し、予め設定された顔画像に上記顔の特徴を追加して顔文字画像を取得するよう構成されている、項目１５に記載の装置。
［項目１７］
上記キーワードに対応する画像を取得するよう構成された場合、上記画像取得ユニットは更に、上記キーワードに応じた画像を検索するよう構成された第２の画像取得サブユニットを有し、
上記第２の画像取得サブユニットは更に、上記キーワードに対応する画像を、見つけ出された上記画像に応じて取得するよう構成されている、項目１４に記載の装置。
［項目１８］
環境背景画像を取得するよう構成された場合、上記画像取得ユニットは更に、温度、湿度、又は風力である環境パラメータを取得するよう構成された第３の画像取得サブユニットを有し、
上記第３の画像取得サブユニットは更に、上記環境パラメータに応じた環境状況を取得するよう構成され、
上記第３の画像取得サブユニットは更に、上記環境状況に応じた上記環境背景画像を取得するよう構成されている、項目１４に記載の装置。
［項目１９］
環境背景画像を取得するよう構成された場合、上記画像取得ユニットは更に、ユーザの地理的位置を取得するよう構成された第４の画像取得サブユニットを有し、
上記第４の画像取得サブユニットは更に、上記地理的位置に応じた天候状況を取得するよう構成され、
上記第４の画像取得サブユニットは更に、上記天候状況に応じた上記環境背景画像を取得するよう構成されている、項目１４に記載の装置。
［項目２０］
更に、上記送信された情報が上記テキスト情報である場合、上記画像の取得後に、上記セッションにおいて上記テキスト情報と上記画像とを結合するよう構成された結合ユニットを備える項目１４に記載の装置。
［項目２１］
上記結合ユニットは、上記キーワードに対応する上記画像を上記テキスト情報に挿入するよう構成された第１の結合サブユニットを有する、項目２０に記載の装置。
［項目２２］
上記結合ユニットは更に、上記セッションにおいて上記テキスト情報を表示し、上記セッションの背景として上記環境背景画像を使用するよう構成された第２の結合サブユニットを有する、項目１４に記載の装置。
［項目２３］
端末とピア端末との間でセッションを開始するよう構成され、
更に、上記セッションにおいて送信された情報がトリガ条件を満たすかどうかを検出するよう構成され、
更に、上記情報が上記トリガ条件を満たす場合、画像を取得するよう構成されたプロセッサと、
上記画像を上記ピア端末に送信するよう構成された送信機と、
を備え、上記セッションにおいて送信された上記情報は、テキスト情報又は音声情報を含む、情報送信のためのデバイス。
［項目２４］
上記セッションにおいて送信された上記情報が上記トリガ条件を満たすことを検出することは、上記音声情報における話速が第１閾値より大きい又はそれに等しいことを検出すること、上記音声情報における話速が第２閾値より小さい又はそれに等しいことを検出すること、上記音声情報におけるイントネーションが第３閾値より大きい又はそれに等しいことを検出すること、上記音声情報におけるイントネーションが第４閾値より小さい又はそれに等しいことを検出すること、又は、上記音声情報においてキーワードを検出することを備え、
上記プロセッサは更に、顔文字画像を取得するよう構成されている、項目２３に記載のデバイス。
［項目２５］
上記セッションにおいて送信された上記情報が上記トリガ条件を満たすことを検出することは、上記テキスト情報においてキーワードを検出すること、又は、上記音声情報においてキーワードを検出することを有し、
上記プロセッサは更に、顔文字画像を取得する、上記キーワードに対応する画像を取得する、又は、環境背景画像を取得するよう構成されている、項目２３に記載のデバイス。
［項目２６］
上記顔文字画像の取得が実行される場合、上記デバイスは更に、上記プロセッサの制御のもと、ユーザの表情を取り込むよう構成されたカメラを備え、
上記プロセッサは更に、上記キーワードに対応する画像を上記表情に応じて取得するよう構成されている、項目２４又は２５に記載のデバイス。
［項目２７］
上記プロセッサは更に、上記表情に対応する感情を分析するよう構成され、
上記プロセッサは更に、上記感情に対応する漫画形態の顔文字画像を取得する、又は、上記感情に対応する顔の特徴を上記感情に応じて生成し、上記顔の特徴を予め設定された顔画像に追加して顔文字画像を取得するよう構成されている、項目２６に記載のデバイス。
［項目２８］
上記キーワードに対応する画像の取得が実行される場合、上記プロセッサは更に、上記キーワードに応じた画像を検索するよう構成され、
上記プロセッサは更に、上記キーワードに対応する画像を、見つけ出された上記画像に応じて取得するよう構成されている、項目２５に記載のデバイス。
［項目２９］
上記環境背景画像の取得が実行される場合、上記プロセッサは更に、温度、湿度、又は風力である環境パラメータを取得するよう構成され、
上記プロセッサは更に、上記環境パラメータに応じた環境状況を取得するよう構成され、
上記プロセッサは更に、上記環境状況に応じた上記環境背景画像を取得するよう構成されている、項目２５に記載のデバイス。
［項目３０］
上記環境背景画像の取得が実行される場合、上記プロセッサは更に、ユーザの地理的位置を取得するよう構成され、
上記プロセッサは更に、上記地理的位置に応じた天候状況を取得するよう構成され、
上記プロセッサは更に、上記天候状況に応じた上記環境背景画像を取得するよう構成されている、項目２５に記載のデバイス。
［項目３１］
上記送信された情報が上記テキスト情報である場合、上記プロセッサは更に、上記画像の取得後、上記セッションにおいて上記テキスト情報と上記画像とを結合するよう構成されている、項目２５に記載のデバイス。
［項目３２］
上記プロセッサは更に、上記キーワードに対応する上記画像を上記テキスト情報に挿入するよう構成されている、項目３１に記載のデバイス。
［項目３３］
上記プロセッサは更に、上記セッションにおいて上記テキスト情報を表示し、上記セッションの背景として上記環境背景画像を使用するよう構成されている、項目３１に記載のデバイス。
【図１】
0006289662.tif 000002
【図２】
0006289662.tif 000003
【図３】
0006289662.tif 000004
【図４】
0006289662.tif 000005
【図５】
0006289662.tif 000006